(57)【特許請求の範囲】
【請求項１】
インストルメントパネルに接合するコンソールボックスの接合構造であって、前記インストルメントパネルと、前記コンソールボックスは、互いに接合する接合部をそれぞれに有し、前記接合部は、係合部材あるいは取付孔、もしくは前記係合部材及び取付孔が１つ以上設けられ、前記インストルメントパネルと、前記コンソールボックスの前記接合部のうち、前記取付孔を有する側には、ガイド部材が設けられ、前記ガイド部材は、ガイド面を有し、前記ガイド面は、外部方向に突出し、さらに前記ガイド面は、前記取付孔と隣接しており、前記インストルメントパネルと、前記コンソールボックスの前記接合部のうち、前記係合部材が設けられた側は、前記ガイド部材が装入される開口が備えられ、前記係合部材は、外部方向に突出し、前記開口は、前記係合部材と隣接しており、前記係合部材は、前記ガイド面に沿って前記取付孔に到達可能であり、前記係合部材と、前記取付孔とが係合し、前記ガイド部材は、前記開口に収納可能であり、
前記係合部材は、前記係合部材が設けられた前記接合部と反対側の先端部に尖形状を有し、前記先端部は、係合される取付孔に隣接される前記ガイド面と交差する方向に一定の角度を有しており、前記先端部と、前記ガイド面とは接触した状態を維持して、前記係合部材が、前記ガイド面に沿って前記取付孔に到達可能であり、前記係合部材の先端部が、前記取付孔に挿通されることを特徴とするコンソールボックスの接合構造。
【請求項２】
インストルメントパネルに接合するコンソールボックスの接合構造であって、前記インストルメントパネルと、前記コンソールボックスは、互いに接合する接合部をそれぞれに有し、前記接合部は、係合部材あるいは取付孔、もしくは前記係合部材及び取付孔が１つ以上設けられ、前記インストルメントパネルと、前記コンソールボックスの前記接合部のうち、前記取付孔を有する側には、ガイド部材が設けられ、前記ガイド部材は、ガイド面を有し、前記ガイド面は、外部方向に突出し、さらに前記ガイド面は、前記取付孔と隣接しており、前記インストルメントパネルと、前記コンソールボックスの前記接合部のうち、前記係合部材が設けられた側は、前記ガイド部材が装入される開口が備えられ、前記係合部材は、外部方向に突出し、前記開口は、前記係合部材と隣接しており、前記係合部材は、前記ガイド面に沿って前記取付孔に到達可能であり、前記係合部材と、前記取付孔とが係合し、前記ガイド部材は、前記開口に収納可能であり、
前記ガイド部材が有する前記ガイド面は、前記ガイド部材が設けられた前記接合部と反対の端部に調整面を有し、前記調整面は、一定の範囲内で前記係合部材の先端部と交差する角度を有し、前記調整面と、前記係合部材とは、接合する際に接触し、前記係合部材が前記ガイド面に到達可能であることを特徴とするコンソールボックスの接合構造。
【請求項３】
前記取付孔は、大きさの異なる２つの開口である小開口と大開口が連なった形状であり、前記小開口は、前記接合部の高さ方向下方で、前記大開口は、前記接合部の高さ方向上方であり、前記係合部材は、前記係合部材を有する前記接合部側で、前記接合部の高さ方向下方に切欠を有し、前記大開口に前記係合部材が挿通され、前記小開口に前記切欠が係合されることを特徴とする請求項１又は２に記載のコンソールボックスの接合構造。
【発明の詳細な説明】
【技術分野】
【０００１】
本発明は、自動車用の内装品たるコンソールボックスをインストルメントパネルに簡単かつ精度良く取り付けるための接合構造に関するものである。
【背景技術】
【０００２】
従来、コンソールボックスをインストルメントパネルに取り付ける場合は、両者各々が有する接合面において、突起部と、取付孔を嵌合あるいは係合させ、さらにビスなどを用いてコンソールボックスをインストルメントパネルに固定する接合構造が一般的である。
【０００３】
一例をあげれば、コンソールボックスを車内の床面に配置させ、インストルメントパネルに接合できるようなコンソールボックスがある。例えば、特許文献１には、コンソールボックスの接続部に備えられた鈎片が、インストルメントパネルの接続部に備えられたスリットに差し込まれ、その状態でさらに、インストルメントパネルとコンソールボックスとをビスで固定できるようにしたコンソールボックスの接合構造が開示されている。
【特許文献１】実開平５−１００９９号公報
【発明の開示】
【発明が解決しようとする課題】
【０００４】
ところが、このようなコンソールボックスの接合構造では、インスルメントパネルが有する取付孔に、コンソールボックスが有する係合部材を差し込む際に、作業者が取付孔と係合部材の位置を確認しながら、位置調整しなければ差し込むことは困難である。特に、取付孔と係合部材が複数ある場合は、同時に各々の位置を確認しながら、位置調整しなければならず、容易且つ確実に、接合をすることは困難であった。
【０００５】
そこで本発明は、インストルメントパネルとコンソールボックスの接合において、取付孔を有する側にガイド部材を設け、係合部材を有する側と容易に接合できるコンソールボックスの接合構造を提供することを課題とする。
【課題を解決するための手段】
【０００６】
上記課題を解決するため、請求項１の発明は、インストルメントパネルに接合するコンソールボックスの接合構造であって、前記インストルメントパネルと、前記コンソールボックスは、互いに接合する接合部をそれぞれに有し、前記接合部は、係合部材あるいは取付孔、もしくは前記係合部材及び取付孔が１つ以上設けられ、前記インストルメントパネルと、前記コンソールボックスの前記接合部のうち、前記取付孔を有する側には、ガイド部材が設けられ、前記ガイド部材は、ガイド面を有し、前記ガイド面は、外部方向に突出し、さらに前記ガイド面は、前記取付孔と隣接しており、前記インストルメントパネルと、前記コンソールボックスの前記接合部のうち、前記係合部材が設けられた側は、前記ガイド部材が装入される開口が備えられ、前記係合部材は、外部方向に突出し、前記開口は、前記係合部材と隣接しており、前記係合部材は、前記ガイド面に沿って前記取付孔に到達可能であり、前記係合部材と、前記取付孔とが係合し、前記ガイド部材は、前記開口に収納可能であり、前記係合部材は、前記係合部材が設けられた前記接合部と反対側の先端部に尖形状を有し、前記先端部は、係合される取付孔に隣接される前記ガイド面と交差する方向に一定の角度を有しており、前記先端部と、前記ガイド面とは接触した状態を維持して、前記係合部材が、前記ガイド面に沿って前記取付孔に到達可能であり、前記係合部材の先端部が、前記取付孔に挿通されることを特徴とした。
【０００７】
請求項１のコンソールボックスの接合構造は、取付孔を有する側にガイド部材を設け、ガイド部材を取付孔に隣接させることで、取付孔と係合される係合部材を、作業員による最小限の目視確認及び位置調整で取付孔に到達させることが可能となる。さらにガイド部材が、開口に収納されることで、インストルメントパネルと、コンソールボックスとが隙間なく確実に接続される。
【０００８】
請求項１のコンソールボックスの接合構造は、係合部材の先端部が、ガイド面と交差する方向に一定の角度を有することで、係合部材を取付穴に到達させる際の位置決めが容易にでき、さらに係合部材の先端部が尖形状を有することで、係合部材が容易に取付穴に挿通できる。
【０００９】
請求項２の発明は、インストルメントパネルに接合するコンソールボックスの接合構造であって、前記インストルメントパネルと、前記コンソールボックスは、互いに接合する接合部をそれぞれに有し、前記接合部は、係合部材あるいは取付孔、もしくは前記係合部材及び取付孔が１つ以上設けられ、前記インストルメントパネルと、前記コンソールボックスの前記接合部のうち、前記取付孔を有する側には、ガイド部材が設けられ、前記ガイド部材は、ガイド面を有し、前記ガイド面は、外部方向に突出し、さらに前記ガイド面は、前記取付孔と隣接しており、前記インストルメントパネルと、前記コンソールボックスの前記接合部のうち、前記係合部材が設けられた側は、前記ガイド部材が装入される開口が備えられ、前記係合部材は、外部方向に突出し、前記開口は、前記係合部材と隣接しており、前記係合部材は、前記ガイド面に沿って前記取付孔に到達可能であり、前記係合部材と、前記取付孔とが係合し、前記ガイド部材は、前記開口に収納可能であり、前記ガイド部材が有する前記ガイド面は、前記ガイド部材が設けられた前記接合部と反対の端部に調整面を有し、前記調整面は、一定の範囲内で前記係合部材の先端部と交差する角度を有し、前記調整面と、前記係合部材とは、接合する際に接触し、前記係合部材が前記ガイド面に到達可能であることを特徴とした。
【００１０】
請求項２のコンソールボックスの接合構造は、ガイド面の一端部に一定角度を有した調整面を設けることで、取付孔と隣接したガイド面に容易に到達可能となり、さらに取付孔と、係合部材との係合が容易且つ確実になる。
【００１１】
請求項３の発明は、請求項１又は２のいずれかの発明において、前記取付孔は、大きさの異なる２つの開口である小開口と大開口が連なった形状であり、前記小開口は、前記接合部の高さ方向下方で、前記大開口は、前記接合部の高さ方向上方であり、前記係合部材は、前記係合部材を有する前記接合部側で、前記接合部の高さ方向下方に切欠を有し、前記大開口に前記係合部材が挿通され、前記小開口に前記切欠が係合されることを特徴とした。
【００１２】
請求項３のコンソールボックスの接合構造は、取付孔において、大きさの異なる開口形状を連通させることで、取付孔に到達した係合部材は、大開口に容易に挿通可能で、大開口に挿通した係合部材は、係合部材が有する切欠と、取付孔の小開口とが容易且つ確実に係合し、コンソールボックスと、インストルメントパネルとを精度良く接合することができる。
【発明の効果】
【００１３】
本発明のコンソールボックスの接合構造は、取付孔に、隣接するガイド面が設けられ、取付孔と係合する係合部材が、ガイド部材に沿って取付孔に到達可能であり、ガイド部材が、係合部材に隣接する開口に収納されるので、最小限の確認及び調整で、精度の良い接合をすることができる。
【発明を実施するための最良の形態】
【００１４】
次に本発明の具体的実施形態について説明する。
なお本説明における方向の表現は、図１を基準としている。方向の表現は、実施形態の理解を容易にするためのもので、これによって本願発明が制限して理解されるべきではない。
【００１５】
図２に示すように本発明の実施形態の接合構造は、コンソールボックス１の接合面（接合部）１５に設けられた係合部材１１と、インストルメントパネル２の接合面（接合部）１６に設けられたガイド部材３及びガイド部材３に隣接する取付孔１２とで構成されている。なお本実施形態のコンソールボックス１と、インストルメントパネル２は、公知の３層構成であり、外側面に表皮層があり、内部層として発泡層があり、最も深部に芯材層が設けられている。前記係合部材１１と、ガイド部材等は芯材層に設けられている。
【００１６】
図３に示すようにコンソールボックス１は、本体部材４と、４つの係合部材１１とで構成されている。
【００１７】
本体部材４の外観は、大きさの異なる２つの箱が連なった形状である。そのうち１つの箱は、天面がくり抜かれた、内部側面及び底面を有する天面開口３１が設けられている。天面開口３１は、小物が収納される収納箱である。本体部材４は、短手側の一端面が接合面１５である。接合面１５は、略垂直壁であり、中央部に開口１７を有したコの字形状である。また本体部材４の高さ方向上方には、インストルメントパネル２と接合したときに、段差のない連続面となる天面２５が設けられている。
【００１８】
それぞれの係合部材１１は、開口１７に隣接している。図３に示すように、係合部材１１は、接合面１５から垂直に外部に突出している。すなわち係合部材１１は、床面に対して水平方向に延びている。また係合部材１１の中間部は、図５にしめすように角度調整部２３であり、角度調整部２３から先端部２２に向って、一定の範囲内で内向きの角度を有し、屈曲されている。係合部材１１が有する角度は、後に詳述するガイド部材３が有する調整面１３に対して交差する方向である。つまり開口１７の中心方向で、床面に水平な方向に一定の範囲内で角度を有している。係合部材１１の先端部２２は、尖形状を有する。
【００１９】
また係合部材１１の角度調整部２３から先端部２２までの外観は、略三角形状である。係合部材１１の基端部には、切欠２４が設けられている。切欠２４は、略四角形状を有する。切欠２４の高さ方向長さｗは、後に詳述する取付孔１２が有する小開口２７の高さ方向長さｈと同程度あるいはそれ以下である。切欠２４の先端部２２方向の長さｕは、図７に示すように、インストルメントパネル２の部材厚と同程度あるいはそれ以上である。つまり後に詳述する取付孔１２の奥行長さと同程度あるいはそれ以上である。
【００２０】
インストルメントパネル２は、公知のそれと同様の構成有し、図１に示すように、運転席側に計器類取付部４２が備えられており、助手席側にグローブボックス取付部４３が設けられ、運転席と助手席の中央部にオーディオ類取付部４４及びコンソール取付部４１が備えられているものである。
図２に示すインストルメントパネル２は、コンソールボックス１のコンソール取付部４１である固定部５と、ガイド部材３と、４つの取付孔１２とを有している。
【００２１】
固定部５は、接合面１６を有する。接合面１６は、内フランジ形状の平面である。また接合面１６の内端には、外部方向に突出したガイド部材３が設けられている。固定部５は、高さ方向上方に、コンソールボックス１の本体部材４と接合したときに、段差のない連続面になる天面２６が設けられている。
【００２２】
ガイド部材３は、接合面１６に対して垂直で、外部に突出している。ガイド部材３の外観は、箱型である。またガイド部材３は、２つのガイド面１４、１４と、天面２９と、ガイド前方面３０を有する。
【００２３】
２つのガイド面１４、１４は、接合面１６から垂直に突出している。またガイド面１４は、中間部から一定の角度を有して屈曲した、調整面１３、１３が設けられている。
【００２４】
また２つの調整面１３、１３は、それぞれ上述した係合部材１１の先端部２２と交差する方向に一定の範囲内で角度を有している。つまりそれぞれが内向きの角度を有している。また一定の範囲とは、調整面１３が、接合面１６と平行にならない程度であり且つ調整面１３の先端部が、接合面１６側に向かない程度である。
【００２５】
またガイド前方面３０は、調整面１３の先端側に、接合面１６と平行に設けられている。ガイド前方面３０は、上述した本体部材４と同様な開口１８を有し、開口１８は、床面向きのコの字形状である。開口形状は、略四角形である。
【００２６】
また４つの取付孔１２は、ガイド部材３が有するガイド面１４にそれぞれ隣接しており、接合面１６に設けられている。取付孔１２は、図６に示すように、大きさの異なる略四角形状の小開口２７及び大開口２８が連なった形状である。
【００２７】
図６に示す小開口２７の高さ方向長さｈは、図５に示す係合部材１１の接合面１５に接合されている高さ方向長さｊと同程度あるいはそれ以下である。また小開口２７の高さ方向長さｈ（図６）に対して垂直な方向の長さである幅ｌ（図６）は、係合部材１１の接合面１５に接合されている幅ｋ（図５）と同程度である。また図７に示すように、小開口２７の奥行長さは、固定部５の部材厚と同程度あるいはそれ以上である。
【００２８】
大開口２８の高さ方向長さＨ（図６）は、係止部材１１の最も長い高さ方向長さｓ（図５）から小開口２７の高さ方向長さｈ（図６）を引いた程度あるいはそれ以上である。つまり小開口２７の長さｈ（図６）と、大開口２８の長さＨ（図６）とを足した長さが、係止部材１１の最も長い高さ方向長さｓ（図５）と同程度あるいはそれ以上である。大開口２８の幅Ｌ（図６）は、係止部材が角度を有するので、先端部２２と、角度調整部２３の最も長い水平長さｔ（図５）程度あるいはそれ以上である。また図７に示すように、大開口２８の奥行長さは、固定部材５の部材厚と同程度あるいはそれ以上である。
【００２９】
次に本実施形態であるコンソールボックス１とインストルメントパネル２との取り付け手順について説明する。
【００３０】
まず図２と、図７の（ａ）と、図８の（ａ）に示すように、コンソールボックス１が有する接合面１５と、インストルメントパネル２が有する接合面１６とを向かい合わせる。
【００３１】
次に図８の（ｂ）に示すように、コンソールボックス１が有する係合部材１１の先端部２２を、インストルメントパネル２が有するガイド部材３の調整面１３に接するように移動させる。このとき、図７の（ｂ）に示すように、コンソールボックス１の天面２５が、インストルメントパネル２の天面２６より高い位置である。
【００３２】
そしてさらにその状態で、図８の（ｃ）のようにコンソールボックス１をインストルメントパネル２に押し込んでいく。このとき、係合部材１１が有する先端部２２は、インストルメントパネル２が有するガイド部材３のガイド面１４に接して、ガイド面１４に対して反対方向である外部方向に拡がりながら取付孔１２の方向に移動される。そしてさらに、その接した状態を維持してコンソールボックス１を押し込んでいくと、係止部材１１が取付孔１２に到達する。さらに図７の（ｂ）、図８の（ｄ）に示すようにそれぞれの接合面１５，１６が接し、４つの取付孔１２に、４つの係合部材１１がそれぞれ挿通される。そして、図７の（ｃ）に示すように、床面方向に押し込むことでそれぞれの取付孔１２と、係合部材１１が有する切欠２４とが係合される。
【００３３】
上述した実施形態のコンソールボックス１の接合構造では、インストルメントパネル２側にガイド部材３及び４つの取付孔１２を有した構成と、コンソールボックス１側に４つの係合部材１１を有した構成とを示したが、本発明は、このような構成に限定されるわけではない。
例えば、次のような変形例（第２実施形態）が考えられる。
第２実施形態でのコンソールボックス１側にガイド部材３及びいくつかの取付孔１２を有した構成と、インストルメントパネル２側にコンソールボックス１に設けられた取付孔１２と同数の係合部材１１を有した構成にしてもよい。
【００３４】
また上述した実施形態のコンソールボックス１の接合構造では、コンソールボックス１及びインストルメントパネル２は、係合部材１１あるいは取付孔１２のどちらか一方を有すれば、係止部材１１あるいは取付孔１２のどちらか他方が存在しない構成を示したが、本発明はこのような構成に限定されるわけではない。
例えば、次のような変形例（第３実施形態）が考えられる。
第３実施形態でのコンソールボックス１の天面側の２つの係合部材１１は、前記した第１実施形態の配置とし、床面側の２つは、取付孔１２に換え、さらに第１実施形態のガイド部材３のように取付孔１２に隣接するように配置する。このときのガイド部材３の大きさは、第１実施形態の略半分あるいはそれ以下である。
【００３５】
またインストルメントパネル２側は、上記した第３実施形態の接合構成を有するコンソールボックス１の取付孔１２と、係合部材１１にそれぞれ係合する構成とする。つまり、天面側に２つの取付孔１２及びガイド部材３を設け、床面側に２つの係合部材１１を配置する。
【００３６】
この構成であれば、それぞれの係合部材１１は、それぞれのガイド部材３に接した状態を維持しながら取付孔１２に到達し、差し込まれ、そして係合される。しかしこのような構成であれば、コンソールボックス１を接合する際、コンソールボックス１が有する係合部材１１と、インストルメントパネル２が有する係合部材１１を、それぞれと係合させる取付孔１２に隣接されたガイド部材３に合わす確認及び調整が手間になる懸念がある。つまり、上記した第３実施形態に比べて、上述した第１実施形態は、このような懸念を生じさせない構成であり、最適であるといえる。
【００３７】
上述した実施形態のコンソールボックス１の接合構造では、インストルメントパネル２に１つのガイド部材３を設け、接合面１６で、ガイド部材３に隣接した４つの取付孔１２が設けられた構成を示したが、本発明は、このような構成に限定されるわけではない。
例えば、次のような変形例（第４実施形態）が考えられる。
図９に示すように、インストルメントパネル２に２つのガイド部材５１、５１と、ガイド部材５１に隣接する４つの取付孔１２も設け、コンソールボックス１に２つのスリット５２、５２と、取付孔１２にそれぞれ係合される４つの係合部材１１を設けた構成であってもよい。
【００３８】
この場合もガイド面１４は、中間部から一定の角度を有して屈曲した、調整面１３、１３が設けられる。またこの角度は、係合部材１１の先端部２２と交差する方向に一定範囲で角度を有する。つまり上記第４実施形態の調整面１３が有する角度と交差する方向である。つまりコンソールボックス１が有する係合部材１１の有する角度は、調整面１３と交差する角度を有する。またスリット５２を設けることで、ガイド部材５１が収納されるため、コンソールボックス１と、インストルメントパネル２が確実に接合される。このような構成に変形することで、上述した第１実施形態と同様の効果を得ることができる。
【図面の簡単な説明】
【００３９】
【図１】コンソールボックスとインストルメントパネルとの組合せ状態を示す斜視図である。
【図２】コンソールボックスの本体部材側を示す斜視図である。
【図３】コンソールボックスの接合面側を示す斜視図である。
【図４】接合後のコンソールボックスを示す斜視図である。
【図５】コンソールボックスにおける係合部材の斜視図である。
【図６】インストルメントパネルの接合面を示す正面図である。
【図７】コンソールボックスを示す図２の接合段階ごとの縦断面図である。
【図８】コンソールボックスを示す図２の接合段階ごとの平面断面図である。
【図９】コンソールボックスの接合構造の第４実施形態の斜視図である。
【符号の説明】
【００４０】
１    コンソールボックス
２    インストルメントパネル
３    ガイド部材
１１    係合部材
１２    取付孔
１３    調整面
１４    ガイド面
２２    角度調整部
２３    先端部
２４    切欠
【図１】
0005204509.tif 000002
【図２】
0005204509.tif 000003
【図３】
0005204509.tif 000004
【図４】
0005204509.tif 000005
【図５】
0005204509.tif 000006
【図６】
0005204509.tif 000007
【図７】
0005204509.tif 000008
【図８】
0005204509.tif 000009
【図９】
0005204509.tif 000010